(57)【要約】【課題】利用者に煩雑な操作を要求することなく、所望のデータが保存された記憶装置を適切に選択し、提供情報を取得する。【解決手段】ネットワーク上に設けられた情報提供装置７００から提供される提供情報を、当該情報提供装置７００とは異なる記憶装置６００に記憶させ取得する携帯端末１００は、情報提供装置７００から提供されるべき提供情報を選択する選択条件を、記憶装置６００に送信することにより、記憶装置６００に、選択条件に基づいて情報提供装置７００から提供情報を取得させ格納させる選択条件送信部１２０と、記憶装置６００に格納される複数の提供情報をそれぞれ識別する複数の提供情報識別情報を取得する提供情報識別情報取得部１３０と、複数の提供情報識別情報の中から利用者が選択した提供情報識別情報により識別される提供情報を記憶装置６００から取得する提供情報取得部１５０とを備える。【選択図】  図２
2004179794.tif 000002
【特許請求の範囲】
【請求項１】
情報提供装置から提供される提供情報を記憶する記憶装置と、記憶装置が記憶した提供情報をネットワークを介して取得する携帯端末とを備える通信システムであって、
前記携帯端末は、
前記情報提供装置から提供されるべき提供情報を選択する選択条件を、前記記憶装置に送信する選択条件送信部と、
前記記憶装置が前記選択条件に基づき前記情報提供装置から取得し格納した複数の前記提供情報を識別する複数の提供情報識別情報を、前記記憶装置から取得する提供情報識別情報取得部と、
前記複数の提供情報識別情報の中から利用者が選択した提供情報識別情報により識別される提供情報を前記記憶装置から取得する提供情報取得部と
を有し、
前記記憶装置は、
前記選択条件に基づいて前記情報提供装置から前記提供情報を取得し格納する格納部と、
前記提供情報を識別する提供情報識別情報を生成する提供情報識別情報生成部と
を有することを特徴とする通信システム。
【請求項２】
前記記憶装置を複数備え、
前記提供情報識別情報取得部は、複数の前記記憶装置のそれぞれから、当該記憶装置に記憶される前記提供情報識別情報を、当該記憶装置を識別する記憶装置識別情報に対応付けて取得し、
前記提供情報取得部は、選択された前記提供情報識別情報に対応付けられた前記記憶装置識別情報により識別される記憶装置から、選択した当該提供情報識別情報により識別される提供情報を取得することを特徴とする請求項１記載の通信システム。
【請求項３】
ネットワーク上に設けられた情報提供装置から提供される提供情報を、当該情報提供装置とは異なる記憶装置に記憶させ取得する携帯端末であって、
前記情報提供装置から提供されるべき提供情報を選択する選択条件を、前記記憶装置に送信することにより、前記記憶装置に、前記選択条件に基づいて前記情報提供装置から前記提供情報を取得させ格納させる選択条件送信部と、
前記記憶装置に格納される複数の前記提供情報をそれぞれ識別する複数の提供情報識別情報を取得する提供情報識別情報取得部と、
前記複数の提供情報識別情報の中から利用者が選択した提供情報識別情報により識別される提供情報を前記記憶装置から取得する提供情報取得部と
を備えることを特徴とする携帯端末。
【発明の詳細な説明】
【０００１】
【発明の属する技術分野】
本発明は、通信システム及び携帯端末に関する。特に本発明は、サーバから携帯端末に取得した情報を携帯端末の外部に保存させる通信システム及び携帯端末に関する。
【０００２】
【従来の技術】
従来、端末装置がネットワークを介してサーバに接続された通信システムにおいて、ネットワーク上のサーバ等の内部に、端末装置により占有することのできる記憶領域を確保するシステムが用いられている（特許文献１参照。）。
【０００３】
【特許文献１】
特開平５−２１６８０１号公報
【０００４】
【発明が解決しようとする課題】
しかしながら、上記通信システムによると、端末装置の利用者は、所望のデータを記憶領域に記録する場合や、記憶領域に保存されたデータを読み出す場合に、煩雑な操作を必要とする。例えば、記憶領域が複数設けられている場合には、所望のデータを保存する記憶領域を検索し選択する等の操作を行う必要がある。
そこで本発明は、上記の課題を解決することのできる通信システム及び携帯端末を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、情報提供装置から提供される提供情報を記憶する記憶装置と、記憶装置が記憶した提供情報をネットワークを介して取得する携帯端末とを備える通信システムであって、携帯端末は、情報提供装置から提供されるべき提供情報を選択する選択条件を、記憶装置に送信する選択条件送信部と、記憶装置が選択条件に基づき情報提供装置から取得し格納した複数の提供情報を識別する複数の提供情報識別情報を、記憶装置から取得する提供情報識別情報取得部と、複数の提供情報識別情報の中から利用者が選択した提供情報識別情報により識別される提供情報を記憶装置から取得する提供情報取得部とを有し、記憶装置は、選択条件に基づいて情報提供装置から提供情報を取得し格納する格納部と、提供情報を識別する提供情報識別情報を生成する提供情報識別情報生成部とを有することを特徴とする通信システムを提供する。
また、記憶装置を複数備え、提供情報識別情報取得部は、複数の記憶装置のそれぞれから、当該記憶装置に記憶される提供情報識別情報を、当該記憶装置を識別する記憶装置識別情報に対応付けて取得し、提供情報取得部は、選択された提供情報識別情報に対応付けられた記憶装置識別情報により識別される記憶装置から、選択した当該提供情報識別情報により識別される提供情報を取得してもよい。
【０００６】
本発明の第２の形態によると、ネットワーク上に設けられた情報提供装置から提供される提供情報を、当該情報提供装置とは異なる記憶装置に記憶させ取得する携帯端末であって、情報提供装置から提供されるべき提供情報を選択する選択条件を、記憶装置に送信することにより、記憶装置に、選択条件に基づいて情報提供装置から提供情報を取得させ格納させる選択条件送信部と、記憶装置に格納される複数の提供情報をそれぞれ識別する複数の提供情報識別情報を取得する提供情報識別情報取得部と、複数の提供情報識別情報の中から利用者が選択した提供情報識別情報により識別される提供情報を記憶装置から取得する提供情報取得部とを備えることを特徴とする携帯端末を提供する。
なお上記の発明の概要は、本発明の必要な特徴の全てを列挙したものではなく、これらの特徴群のサブコンビネーションも又発明となりうる。
【０００７】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【０００８】
図１は、通信システム１０の概略図を示す。通信システム１０は、携帯端末１００と、無線基地局２００と、サービス制御局４００と、複数の記憶装置である記憶装置６００−１〜Ｎと、情報提供装置７００とを備える。通信システム１０は、情報提供装置７００から携帯端末１００に提供される提供情報を、例えば、記憶装置６００−１に記憶させ、利用者からの指示に応じて携帯端末１００に提供する。すなわち、通信システム１０は、携帯端末１００の利用者に、記憶装置６００−１を、携帯端末１００に対応付けられた記憶領域の一部として利用させることを目的とする。
【０００９】
携帯端末１００は、無線基地局２００と無線通信を行う携帯電話等の携帯情報端末である。携帯端末１００は、情報提供装置７００から携帯端末１００に提供されるべき提供情報を選択する選択条件をネットワーク５０５を介して記憶装置６００−１に送る。そして、携帯端末１００は、記憶装置６００−１が記憶した提供情報をネットワーク５０５を介して取得する。
【００１０】
無線基地局２００は、無線基地局制御装置２１０と、無線基地局共通増幅装置２２０と、無線基地局変調装置２３０とを有する。無線基地局制御装置２１０は、無線基地局共通増幅装置２２０及び無線基地局変調装置２３０の制御を行う。無線基地局共通増幅装置２２０は、例えば携帯端末１００を含む複数の携帯端末のそれぞれと無線通信を行い、携帯端末から受け取ったデータを増幅して無線基地局変調装置２３０に送る。無線基地局変調装置２３０は、増幅されたデータを無線基地局共通増幅装置２２０から受け取り、加入者交換局３００を介してサービス制御局４００に、加入者交換局３００、関門交換局５００、及びネットワーク５０５を順次経由して記憶装置６００−１又は情報提供装置７００にそれぞれ送る。
【００１１】
サービス制御局４００は、番号変換機能と、課金制御機能とを備える。サービス制御局４００は、携帯端末の電話番号の情報を格納している。そして、サービス制御局４００は、加入者交換局３００を介して無線基地局２００から受け取ったデータに基づいて、当該データの発信先の電話番号を、必要に応じて変換する。また、サービス制御局４００は、当該データの発信先及び発信元の電話番号に基づいて、課金処理を行ってもよい。
【００１２】
記憶装置６００−１は、携帯端末１００から受け取った選択条件に基づいて、情報提供装置７００から提供情報を取得し格納する。そして、携帯端末１００からの通知に基づいて、格納している提供情報のうちの少なくとも一部を選択して携帯端末１００に送る。記憶装置６００−２〜Ｎのそれぞれは、記憶装置６００−１と略同一であるので以降の説明を省略する。
【００１３】
情報提供装置７００は、例えば、ワールド・ワイド・ウェブ（以下ＷＷＷと略す）システムにおけるウェブサーバであり、記憶装置６００−１からの指示に基づいて、提供情報（例えば、ウェブページやアプレット）を記憶装置６００−１に提供する。なお、情報提供装置７００は、携帯端末１００とは異なる他の端末からの指示に応じて、提供情報を当該他の端末に送ってもよい。
【００１４】
このように、携帯端末１００は、無線通信システム及びネットワーク５０５を介して記憶装置６００−１及び情報提供装置７００と接続されている。そして、携帯端末１００は、記憶装置６００−１を介して情報提供装置７００から提供情報を取得することができる。
【００１５】
図２は、携帯端末１００及び記憶装置６００−１の機能ブロック図を示す。携帯端末１００は、入力部１１０と、選択条件送信部１２０と、提供情報識別情報取得部１３０と、表示部１４０と、提供情報取得部１５０とを有する。入力部１１０は、利用者に選択条件を入力させ、入力された選択条件を選択条件送信部１２０に送る。また、入力部１１０は、後述する表示部１４０により表示される複数の提供情報識別情報の中から、取得すべき提供情報を識別する提供情報識別情報を利用者に選択させ、選択された当該提供情報識別情報を提供情報取得部１５０に送る。
【００１６】
選択条件送信部１２０は、入力部１１０から受け取った選択条件を記憶装置６００−１に送信する。なお、選択条件送信部１２０は、選択条件を記憶装置６００−２〜Ｎにも更に送信してもよい。例えば、選択条件送信部１２０は、選択条件を受け取る毎に、記憶装置６００−１〜Ｎに対して順次選択条件を送信してもよい。選択条件とは、例えば、ＷＷＷシステムにおけるＵＲＬ（ＵｎｉｆｏｒｍＲｅｓｏｕｒｃｅ  Ｌｏｃａｔｏｒ）である。この場合、選択条件は、ＷＷＷシステムにおける当該ＵＲＬにより指定された箇所に存在するファイル又はフォルダを選択して取得する旨を示す。これに代えて、選択条件は、ウェブページの検索キーワードであってもよいし、ＩＰアドレスであってもよい。
【００１７】
提供情報識別情報取得部１３０は、記憶装置６００−１〜Ｎのそれぞれが選択条件に基づき情報提供装置７００から取得し格納した複数の提供情報を識別する複数の提供情報識別情報を、記憶装置６００−１〜Ｎのそれぞれから、当該記憶装置を識別する記憶装置識別情報に対応付けて取得する。そして、提供情報識別情報取得部１３０は、複数の提供情報識別情報を、表示部１４０に送る。一方、提供情報識別情報取得部１３０は、記憶装置識別情報に対応付けられた複数の提供情報識別情報を提供情報取得部１５０に送る。記憶装置識別情報とは、例えば、ＷＷＷシステムにおけるＵＲＬであってもよいし、サーバ名であってもよいし、ＩＰアドレスであってもよい。
【００１８】
表示部１４０は、提供情報識別情報取得部１３０から受け取った複数の提供情報識別情報を、例えば、携帯端末１００に設けられた画面上に一覧表示する。また、表示部１４０は、提供情報取得部１５０から受け取った提供情報を画面上に表示する。これに代えて、提供情報がアプレットなどのプログラムである場合には、表示部１４０は、当該プログラムを実行した実行結果を画面上に表示してもよい。
【００１９】
提供情報取得部１５０は、記憶装置識別情報に対応付けられた複数の提供情報識別情報を提供情報識別情報取得部１３０から受け取る。そして、提供情報取得部１５０は、利用者が選択した提供情報識別情報を入力部１１０から受け取った場合に、選択された提供情報識別情報に対応付けられた記憶装置識別情報により識別される記憶装置（例えば、記憶装置６００−１）から、選択した当該提供情報識別情報により識別される提供情報を取得し、表示部１４０に送る。
【００２０】
記憶装置６００−１は、格納部６１０と、提供情報識別情報生成部６２０とを有する。格納部６１０は、選択条件送信部１２０から受け取った選択条件に基づいて、情報提供装置７００中に格納される情報のうち、携帯端末１００に提供されるべき提供情報を選択して取得し、格納する。そして、格納部６１０は、格納した提供情報を識別する提供情報識別情報を提供情報識別情報生成部６２０に送る。また、格納部６１０は、提供情報取得部１５０からの指示に応じて提供情報を提供情報取得部１５０に送る。
【００２１】
このように、携帯端末１００は、提供情報を選択する選択条件を記憶装置６００に送り、記憶装置６００に格納された提供情報を識別する提供情報識別情報を、当該提供情報を格納している記憶装置を識別する情報に対応付けて複数受け取る。従って、携帯端末１００は、利用者により提供情報識別情報が選択された場合に、選択された当該提供情報識別情報により識別される提供情報が格納されている記憶装置を、利用者に煩雑な操作を行わせることなく識別することができる。即ち、利用者は、携帯端末１００を用いることにより、提供情報識別情報を選択する操作のみによって、提供情報が格納される記憶装置を指定する操作を行うことなく、適切に提供情報を取得することができる。
【００２２】
図３は、通信システム１０の動作フローを示す。選択条件送信部１２０は、入力部１１０に入力された選択条件を、記憶装置６００−１に送る（Ｓ１００）。記憶装置６００−１は、受け取った選択条件を情報提供装置７００に送ることにより、情報提供装置７００内に予め格納されている情報の中から、選択条件に基づいて、携帯端末１００に提供されるべき提供情報を選択する（Ｓ６００）。これを受けて、情報提供装置７００は、提供情報を記憶装置６００−１に送る（Ｓ７００）。
【００２３】
格納部６１０は、選択条件に基づいて情報提供装置７００から提供情報を取得し格納する（Ｓ６１０）。そして、提供情報識別情報生成部６２０は、格納部６１０により格納される複数の提供情報を識別する複数の提供情報識別情報の一覧リストを作成し（Ｓ６２０）、携帯端末１００に送信する（Ｓ６３０）。例えば、提供情報識別情報生成部６２０は、格納部６１０が新たに提供情報を格納した場合に、直ちに一覧リストを送信する。これに代えて、提供情報識別情報生成部６２０は、格納部６１０により格納される提供情報を定期的に読み出し、新たな提供情報を検出した場合にのみ、一覧リストを送信してもよい。
【００２４】
提供情報識別情報取得部１３０は、一覧リストを格納部６１０から取得し、表示部１４０は、取得された一覧リストを利用者に表示する（Ｓ１１０）。入力部１１０は、表示部１４０により表示された複数の提供情報識別情報の中から、取得すべき提供情報を識別する提供情報識別情報を利用者に入力させ（Ｓ１２０）、当該提供情報識別情報を記憶装置６００−１に送る（Ｓ１３０）。これを受けて、記憶装置６００−１は、提供情報識別情報により識別される提供情報を格納部６１０から選択し、携帯端末１００に送信する（Ｓ６４０）。携帯端末１００は、記憶装置６００−１から取得した提供情報の表示又は実行を行う（Ｓ１４０）。
【００２５】
なお、入力部１１０は、利用者から入力を受けた場合に、提供情報識別情報を送るために、自動的に記憶装置６００−１との無線通信を確立してもよい。この場合、携帯端末１００は、提供情報を取得した場合に、自動的に記憶装置６００−１との無線通信を切断してもよい。従って、無線通信が従量制の料金体系により課金される場合には、利用者に無線通信の接続及び切断等の煩雑な操作を要求することなく、通信料金を節約できる。
【００２６】
また、本例においては、携帯端末１００は、選択条件を送信することにより情報提供装置７００内の提供情報を記憶装置６００−１に格納させるが、他の例として、携帯端末１００内で生成した情報を記憶装置６００−１に格納してもよい。例えば、携帯端末１００は、当該携帯端末１００内に設けられたカメラ及びマイクにより収録された音声及び画像を、記憶装置６００−１に格納させてもよい。
【００２７】
図４は、図３におけるＳ１４０の動作フローを示す。提供情報取得部１５０は、携帯端末１００内に設けられたメモリの予め定められた領域である作業領域用メモリに、取得した提供情報を保存する（Ｓ１４００）。そして、表示部１４０は、提供情報を表示する（Ｓ１４１０）。例えば、提供情報がプログラムである場合には、表示部１４０は、当該プログラムを実行し、実行結果を表示する。この場合、表示部１４０は、更に、利用者から入力部１１０へ入力された情報を、プログラムの実行に用いてもよい。
【００２８】
表示部１４０は、携帯端末１００内に設けられた作業領域用メモリとは異なる領域である保存用メモリに、表示を終えた提供情報を保存するか否かを、利用者からの入力に基づき判断する（Ｓ１４２０）。保存用メモリに保存すると判断された場合に（Ｓ１４２０：ＹＥＳ）、表示部１４０は、提供情報を保存用メモリに保存する（Ｓ１４４０）。この場合、携帯端末１００は、保存した提供情報と同一の提供情報を、記憶装置６００−１内の格納部６１０から削除させるべく、記憶装置６００−１に削除指示を送ってもよい。なお、保存用メモリに保存すると判断されない場合に（Ｓ１４２０：ＮＯ）、携帯端末１００は、提供情報を作業領域用メモリから削除してもよい。
【００２９】
図５は、表示部１４０の表示例、即ち、表示部１４０により表示される複数の提供情報識別情報を、携帯端末１００に設けられた画面上に一覧表示する例を示す。「ＡＡＡ」、「ＢＢＢ」、及び「ＣＣＣ」は、それぞれ提供情報識別情報の一例であり、例えば、提供情報のファイル名であってもよいし、提供情報のダイジェストであってもよいし、提供情報が画像である場合のサムネイルであってもよい。利用者は、提供情報識別情報に対応付けて表示されている番号「１」、「２」、及び「３」を、入力部１１０を用いて指定することにより、提供情報識別情報を選択し、提供情報を表示させることができる。なお、表示部１４０は、全ての提供情報識別情報を表示画面内に表示できない場合には、スクロールによって、全ての提供情報識別情報を表示させてもよい。
【００３０】
図６は、携帯端末１００のハードウェア構成の一例を示す。携帯端末１００は、充電式電池等により電源を供給する電源１０００と、外部と無線通信を行う無線部１０１０と、無線通信の制御及び提供情報の実行をプログラムとの協業により行うＣＰＵ１０２０と、提供情報の保存先である保存用メモリ１０３０と、提供情報を一時的に保存する作業領域用メモリ１０４０と、ＣＰＵ１０２０からの指示により利用者からの入力を受け付ける入力部１１０と、ＣＰＵ１０２０からの指示により提供情報を表示する表示部１４０とを備える。携帯端末１００は、利用者からの入力のために、更にＣＣＤカメラ及びマイクを備えてもよい。また、携帯端末１００は、利用者への出力のために、更にスピーカを備えてもよい。
【００３１】
携帯端末１００を動作させるプログラムは、無線部１０１０等を介して外部から保存用メモリ１０３０に提供され、ＣＰＵ１０２０により実行される。携帯端末１００に提供されるプログラムは、入力モジュールと、選択条件送信モジュールと、提供情報識別情報取得モジュールと、表示モジュールと、提供情報取得モジュールとを備える。これらのモジュールは、ＣＰＵ１０２０を、それぞれ入力部１１０、選択条件送信部１２０、提供情報識別情報取得部１３０、表示部１４０、及び提供情報取得部１５０として動作させる。
【００３２】
以上の説明から明らかなように、通信システム１０は、利用者に煩雑な操作を要求することなく、所望のデータが保存された記憶装置６００を適切に選択し、提供情報を取得することができる。また、通信システム１０は、ネットワーク上の記憶装置にデータを記憶することができるので、携帯端末１００内に設けられたメモリを小さくすることができる。即ち、携帯端末１００の小型化、低消費電力化を実現することができる。
【００３３】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３４】
【発明の効果】
上記説明から明らかなように、本発明によれば、利用者に煩雑な操作を要求することなく、所望のデータが保存された記憶装置を適切に選択し、提供情報を取得することができる。
【図面の簡単な説明】
【図１】図１は、通信システム１０の概略図。
【図２】図２は、携帯端末１００及び記憶装置６００−１の機能ブロック図。
【図３】図３は、通信システム１０の動作フロー図。
【図４】図４は、図３におけるＳ１４０の動作フロー図。
【図５】図５は、表示部１４０の表示例を示す図。
【図６】図６は、携帯端末１００のハードウェア構成の一例を示す図。
【符号の説明】
１０  通信システム
１００  携帯端末
１１０  入力部
１２０  選択条件送信部
１３０  提供情報識別情報取得部
１４０  表示部
１５０  提供情報取得部
２００  無線基地局
２１０  無線基地局制御装置
２２０  無線基地局共通増幅装置
２３０  無線基地局変調装置
３００  加入者交換局
４００  サービス制御局
５００  関門交換局
５０５  ネットワーク
６００  記憶装置
６１０  格納部
６２０  提供情報識別情報生成部
７００  情報提供装置
１０００  電源
１０１０  無線部
１０２０  ＣＰＵ
１０３０  保存用メモリ
１０４０  作業領域用メモリ
【図１】
2004179794.tif 000003
【図２】
2004179794.tif 000004
【図３】
2004179794.tif 000005
【図４】
2004179794.tif 000006
【図５】
2004179794.tif 000007
【図６】
2004179794.tif 000008